(57)【要約】【課題】浴槽側の排水効率を上げるとともに浴槽側と洗い場側との相互の圧力干衝の発生を抑制でき清掃性やメンテナンス性に優れた排水トラップを提供する。【解決手段】溜水部３６は排水トラップ本体１２の内部に着脱可能に取り付けられ溜水部３６が排水トラップ本体１２内部に取り付けられたときに排水トラップ本体１２内部の空間部を２つの空間部に分断し溜水部３６の底部には２つの空間部のうち溜水部３６の底部と排水トラップ本体１２の底部との間に形成された第１の空間部４４とともに第１の流路を構成する開口部３８、４０が形成され、排水トラップ本体１２の内部に流入した浴槽からの水が第１の流路を流れて排水口３０に導かれ、溜水部３６から溢れた水は第１の空間部４４以外の空間部である第２の空間部４８に形成された第２の流路を流れて排水口３０に導かれる構成とした。【選択図】      図１
2005009161.tif 000002
【特許請求の範囲】
【請求項１】
洗い場から排水された水が流入する封水筒と、底部を備えた筒状に形成され前記封水筒が挿入されて前記封水筒から前記水が内部に注がれる溜水部と、前記溜水部が取り付けられ洗い場から排水された水が前記溜水部と前記封水筒との間を上昇して前記溜水部の外部に溢れ出す排水トラップ本体と、前記排水トラップ本体に形成され前記溜水部の外部に溢れた水を前記排水トラップ本体の外部に排水させる排水管が接続する排水口と、前記排水トラップ本体に形成され浴槽内から排水された水を前記排水トラップ本体に導く取水管が接続する取水口と、を有する排水トラップにおいて、
前記溜水部は前記排水トラップ本体の内部に着脱可能に取り付けられ、前記溜水部が前記排水トラップ本体内部に取り付けられたときに前記排水トラップ本体内部の空間部を２つの空間部に分断し、
前記溜水部の底部には、前記２つの空間部のうち前記溜水部の底部と前記排水トラップ本体の底部との間に形成された第１の空間部とともに第１の流路を構成する開口部が形成され、前記排水トラップ本体の内部に流入した浴槽からの水が前記第１の流路を流れて前記排水口に導かれ、
前記溜水部から溢れた水は、前記第１の空間部以外の空間部である第２の空間部に形成された第２の流路を流れて前記排水口に導かれることを特徴とする排水トラップ。
【請求項２】
前記開口部は、前記取水口に向かって開口した第１開口部と、前記排水口に向かって開口した第２開口部と、で構成されていることを特徴とする請求項１に記載の排水トラップ。
【請求項３】
前記第１開口部を構成する前記溜水部の底部は、前記取水口側に位置する入口部から前記第２開口部側に位置する出口部に向かって下り傾斜していることを特徴とする請求項２に記載の排水トラップ。
【請求項４】
前記溜水部と前記排水トラップ本体との間には、前記第１の空間部から前記第２の空間部への水の浸入及び前記第２の空間部から前記第１の空間部への水の浸入を防止するシール部材が配置されていることを特徴とする請求項１乃至３のいずれか１項に記載の排水トラップ。
【請求項５】
上方に開口した開口部を有する溜水部が内部に形成された排水トラップ本体と、前記溜水部の前記開口部に挿入され洗い場から排水された水を前記溜水部に注ぐ封水筒と、前記排水トラップ本体に形成され前記溜水部の前記開口部から前記溜水部の外部に溢れた水を前記排水トラップ本体の外部に排水させる排水管が接続する排水口と、前記排水トラップ本体に形成され浴槽内から排水された水を前記排水トラップ本体に導く取水管が接続する取水口と、を有する排水トラップにおいて、
前記溜水部の外側面の一部に沿って形成され、前記取水口から前記排水トラップ本体の内部に流入した水を前記排水口まで導く第１の流路と、
前記溜水部の外側面の一部に沿って形成され、前記溜水部の前記開口部から前記溜水部の外部に溢れ出した水を前記排水口まで導く第２の流路と、
前記封水筒の外側面に形成され、前記封水筒が前記溜水部の前記開口部に挿入されたときに前記開口部の一部を塞ぎ前記溜水部の内部の水が前記開口部から前記第１の流路に溢れ出すことを防止する蓋部と、を有していることを特徴とする排水トラップ。
【請求項６】
前記蓋部は前記取水口から前記排水トラップ本体の内部に流入した水を前記排水口に導く流路を兼ねており、前記蓋部には前記蓋部上を流れる水が前記第２の流路又は前記溜水部の内部に浸入することを防止する壁部が形成されていることを特徴とする請求項５に記載の排水トラップ。
【請求項７】
前記第２の流路の前記排水口側と反対側に位置する端部が閉塞されていることを特徴とする請求項５又は６に記載の排水トラップ。
【請求項８】
前記溜水部の前記排水口近傍の部位には、前記第１の流路を流れてきた水が前記第２の流路に浸入すること又は前記第２の流路を流れてきた水が前記第１の流路に浸入することを防止する逆流防止弁が設けられていることを特徴とする請求項５乃至７のいずれか１項に記載の排水トラップ。
【請求項９】
前記第２の流路は、前記排水口に向かって下り傾斜していることを特徴とする請求項５乃至８のいずれか１項に記載の排水トラップ。
【発明の詳細な説明】
【０００１】
【発明の属する技術分野】
本発明は、浴槽側から排水された水と洗い場側から排水された水とが導かれる排水トラップに関する。
【０００２】
【従来の技術】
現代社会においては、昨今の高齢化現象などに伴い、いわゆるバリアフリー思想が浸透している。バリアフリー構造は、住居の室内構造において顕著であり、浴室においても取り入れられている。かかるバリアフリー構造を浴室に取り入れた場合、浴室の床の高さを極力低くして浴室の入口段差を無くすことが一つの課題となる。ここで、床の高さを低くしたいわゆる低床化を実現するためには、図８に示すように、浴槽深さＡとヘッド高Ｂと封水ライン高Ｃとからなるトータル高Ｈを極力低く設定する必要があり、かかるトータル高Ｈを極力低く設定するためには、浴槽深さＡと封水ライン高Ｃとが一定となるため、ヘッド高Ｂを極力低く設定する必要がある。かかるヘッド高Ｂを低く設定するためには、排水トラップ２００の側面に取水管２０２を取り付け、浴槽２０４内の水を取水管２０２を通して排水トラップ２００に導くことで実現することができる。ここで、排水トラップ２００に導かれた水は、溜水部２０６に流入する。そして、溜水部２０６に所定量の水が貯溜されると、溜水部２０６から溢れ出し排水管２０８から外部に排水される。なお、溜水部２０６には封水筒２１０が挿入されている。
【０００３】
ところで、排水トラップ２００に取水管２０２を接続しヘッド高Ｂを低く設定したことにより低床化を実現した場合に、以下に示すように、大きな問題が生じてしまう。先ず、ヘッド高Ｂを低く設定したことにより、浴槽内の水の排水時間が多くかかってしまうという問題がある（問題点１）。すなわち、排水時に浴槽２０４内の水は取水管２０２に向かって自由落下していくが、ヘッド高Ｂが高くなればなるほど圧力が大きくなり浴槽内の水が勢い良く排水され、排水時間が短縮される。一方、低床化を実現するためにヘッド高Ｂを低く設定すると、前記圧力が小さくなり、当然に浴槽内水の排水時間が長くなる。ところで、ヘッド高Ｂを低く設定した場合において、浴槽２０４内水の排水時間を短縮する技術は従来から多数知られており、例えば、取水管２０２の径を大きくする方法がある。このように取水管２０２の径を大きく設定することにより、浴槽内水の排水時間を確実に短縮することはできるが、単純に排水時間を短くしてしまうと、以下に示す別の他の問題が生じてしまう。
【０００４】
すなわち、浴槽内水の排水時間を短縮することは、技術的に排水トラップ２００に浴槽内水が勢い良く流入すること（排水効率が上がること）を意味しているが、排水トラップ２００に浴槽内の水が勢い良く流れ込んでしまうと、排水トラップ２００の溜水部２０６に挿入された封水筒２１０から水が溢れてしまい、洗い場側に浴槽内水の水溜まりができてしまう。また、逆に、洗い場側から排水トラップ２００に水を勢い良く流すと、取水管２０２を逆流して浴槽内に溢れてしまう（問題点２）。これらは、ヘッド高Ｂを低くするために取水管２０２を排水トラップ２００に取り付けているため、相互の圧力干衝によって生じる不具合である。特に、バリアフリー構造になっているユニットバスに前記不具合が顕著化し易い。
【０００５】
そこで、上記した２つの問題点を解消するために、浴槽内水の排水時間の短縮と洗い場排水と浴槽排水との圧力干衝の抑制とを両立させることがひとつの課題となる。
【０００６】
ここで、上記課題を解決するための手段として、図示しないが、浴槽に浴槽側トラップを設け、洗い場側に洗い場側トラップをそれぞれ設け、浴槽側トラップと洗い場側トラップにそれぞれ排水管を接続し、浴槽内水の排水は浴槽側トラップを介して排水管で排水し、洗い場側の排水は洗い場側トラップを介して排水管で排水する手法が考えられる。かかる手法では、浴槽側排水系統と洗い場側排水系統とがそれぞれ別系統になっているため、相互の圧力干衝が発生せず、また浴槽内水の排水時間も短縮することができるため、前記課題を解決することができるが、排水系統が複数になるため設備工事が煩雑になり、また、トラップも複数必要になるためコスト高になる。さらに、トラップに毛髪やゴミなどが詰まった場合に、トラップを清掃する必要があるが、特に浴槽側トラップは、床の浴槽載置部に配設されているため、掃除やメンテナンスが容易にできないという問題が新たに生じている。
【０００７】
一方、排水設備工事の煩雑さを解消する技術として、図９に示すように、浴槽側に浴槽側トラップ２３０を設け、洗い場側にも洗い場側トラップ２３２を設け、浴槽側トラップ２３０に接続されている排水管２３４を洗い場側トラップ２３２に接続されている排水管２３６の上流側（排水の圧力干衝が発生しにくい部分）に取り付けた技術であり、浴槽内水の排水時も洗い場側排水に使用される排水管２３６により外部に排水させるものが提案されている。かかる技術では、浴槽内排水の排水時間も短縮できるとともに圧力干衝の発生も抑制でき、その上、最終的に１本の排水管２３６を共有することになるため、設備工事の煩雑さを解消することができる。
【０００８】
ところが、かかる技術でも、浴槽側にも浴槽側トラップ２３０を設けているため、必要に応じて浴槽側トラップ２３０のメンテナンスを行う場合があるが、浴槽側トラップ２３０は防水パンの下側に配置されているため、メンテナンスを容易に行うことができないという問題が残る。
【０００９】
さらに、図１０に示すように、１つのトラップ（洗い場側トラップ）２５０の中を浴槽側排水系流路２５２と洗い場側排水系流路２５４の２系統に仕切り、排水口２５６の近傍の圧力干衝が発生しにくい部分で２つの流路２５２、２５４を統合し、１本の排水管（図示省略）で排水する技術が考えられている（下記特許文献１）。かかる技術では、浴槽側排水を効果的に行うができるとともに圧力干衝の発生を抑制することができ、浴槽側には浴槽側トラップが設けられていないため、浴槽側トラップのメンテナンスの必要性は生じない。
【００１０】
【特許文献１】
実開昭５７−４６６８０号公報
【特許文献２】
特開平９−１９５３４８号公報
【特許文献３】
特開２０００−１８８８号公報
【００１１】
【発明が解決しようとする課題】
しかしながら、前記特許文献１に示された技術では、洗い場側トラップの構造が複雑になり、アンダーカットになる部分があり樹脂成型により製造することができない。すなわち、砂型鋳造やロストワックス製法などにより製造するしか方法がなく、製法が極めて限られており、生産効率が低下するという問題が生じる。さらに、浴槽側排水系流路が洗い場側トラップの底部に位置しているため、浴槽側排水系流路に毛髪やごみが詰まった場合に清掃やメンテナンスをすることができないという問題がある。また、トラップには高圧ホースなどにより掃除する場合が多々あるが、特に、浴槽側排水系流路に高圧ホースを進入させることができず、近年の清掃機器を用いて掃除しようとしても、最新の清掃機器を十分に使えるようなトラップの構造にはなっていなかった。
【００１２】
そこで、本発明は、上記事情に鑑みて成されたものであり、特に、浴槽側の排水効率を上げるとともに浴槽側と洗い場側との相互の圧力干衝の発生を抑制でき、かつ清掃性やメンテナンス性に優れた排水トラップを提供することを目的とする。
【００１３】
【課題を解決するための手段】
本発明は、上記課題を解決するため、以下の手段を採用する。
請求項１に記載の発明は、洗い場から排水された水が流入する封水筒と、底部を備えた筒状に形成され前記封水筒が挿入されて前記封水筒から前記水が内部に注がれる溜水部と、前記溜水部が取り付けられ洗い場から排水された水が前記溜水部と前記封水筒との間を上昇して前記溜水部の外部に溢れ出す排水トラップ本体と、前記排水トラップ本体に形成され前記溜水部の外部に溢れた水を前記排水トラップ本体の外部に排水させる排水管が接続する排水口と、前記排水トラップ本体に形成され浴槽内から排水された水を前記排水トラップ本体に導く取水管が接続する取水口と、を有する排水トラップにおいて、前記溜水部は前記排水トラップ本体の内部に着脱可能に取り付けられ、前記溜水部が前記排水トラップ本体内部に取り付けられたときに前記排水トラップ本体内部の空間部を２つの空間部に分断し、前記溜水部の底部には、前記２つの空間部のうち前記溜水部の底部と前記排水トラップ本体の底部との間に形成された第１の空間部とともに第１の流路を構成する開口部が形成され、前記排水トラップ本体の内部に流入した浴槽からの水が前記第１の流路を流れて前記排水口に導かれ、前記溜水部から溢れた水は、前記第１の空間部以外の空間部である第２の空間部に形成された第２の流路を流れて前記排水口に導かれることを特徴とする。
【００１４】
請求項１に記載の発明によれば、溜水部が排水トラップ本体の内部に取り付けられることにより、排水トラップ本体の内部の空間部が２つに分断される。これにより、排水トラップ本体の内部には、第１の空間部と第２の空間部とが存在する。
ここで、浴槽内から排水された水は、取水管を流れて取水口から排水トラップ本体の内部に流入する。排水トラップ本体の内部に流入した水は、第１の空間部と開口部とで形成された第１の流路を流れて排水口に導かれる。排水口に導かれた水は、排水管を流れて排水トラップ本体の外部に排水される。
一方、洗い場から排水された水は、封水筒に流入して溜水部の内部に注がれる。溜水部の内部に水が注がれていくと、水は溜水部と封水筒との間にも流入し、注水量に比例して溜水部と封水筒との間を上昇し、やがて溜水部から溢れ出す。
溜水部から溢れ出した水は、第２の空間部に形成された第２の流路に流入し第２の流路を流れて排水口に導かれる。排水口に導かれた水は、排水管を流れて排水トラップ本体の外部に排水される。
以上、本発明の排水トラップによれば、浴槽内から排水された水の流路（第１の流路）と洗い場側から排水された水の流路（第２の流路）とがそれぞれ別れており、それぞれ独自の排水系統を備えているため、排水による圧力干衝が生じることがなく、低床化の要請により取水管を取り付けヘッド高を低くした場合であっても、浴槽内から排水された水が溜水部の内部に浸入し封水筒から洗い場側に溢れ出すことを防止でき、また逆に洗い場側から排水された水が取水管を逆流して浴槽の内部に溢れ出すことを防止することができる。
また、浴槽内の水は独自の排水系統（第１の流路）により外部に排水されるため、浴槽内の水の排水時間を短縮することができる。
このように、本発明の排水トラップによれば、ヘッド高が低く設定された場合でも、浴槽内の水の排水効率を上げることができるとともに相互の圧力干衝を防止することができる。特に、第１の流路と第２の流路とを設けるために排水トラップ本体の寸法を大きくするのではなく、排水トラップ本体の内部空間部に溜水部を取り付けることにより内部空間部を２つの空間部に分断しているので、排水トラップが大型化することがなく、いわゆる低床化の要請に沿うものとなる。
ここで、溜水部は着脱可能に排水トラップ本体に取り付けられているため、溜水部を引き抜くことにより、排水トラップ本体の内部空間部を開放することができる。これにより、排水トラップ本体の内部に毛髪やゴミが詰まった場合にも、容易に掃除することができる。また、溜水部を引き抜くことにより溜水部の掃除も容易に行うことができる。
また、排水トラップ本体の内部に溜水部を取り付けるだけで第１の流路と第２の流路とが形成されるため、排水トラップ本体自体に第１の流路や第２の流路を形成する必要がなく、排水トラップ本体の内部構造を比較的単純な構造にすることができる。このため、アンダーカットになる部分がなく従来から広く採用されている樹脂成型により製造することができ、排水トラップの生産効率を上げることができる。
さらに、高圧ホースなどの掃除機器を用いて排水トラップ本体を掃除する場合には、溜水部を排水トラップ本体の内部から取り外すことにより、溜水部の配置スペースを利用することができるため、高圧ホースを排水トラップ本体の内部に進入させることができる。これにより、掃除機器を用いた清掃が可能となり、清掃性を高めることができる。
なお、本明細書において「溜水部に形成された開口部」とは、溜水部に形成された凹部や開口孔などであって、溜水部の内部空間と連通していないものを意味する。
【００１５】
請求項２に記載の発明は、請求項１に記載の排水トラップにおいて、前記開口部は、前記取水口に向かって開口した第１開口部と、前記排水口に向かって開口した第２開口部と、で構成されていることを特徴とする。
【００１６】
請求項２に記載の発明によれば、第１開口部は取水口に向かって開口しているため、取水口から排水トラップ本体の内部に流入した水が浸入する第１の流路の開口面積を比較的大きくすることができる。これにより、浴槽内の水の排水時間をより短縮させることができる。
一方、第２開口部が排水口に向かって開口しているため、第１の流路を流れてきた水をより効果的に排水管に導くことができるとともに、第２の流路を流れてきた水との圧力干衝を小さくすることができる。
【００１７】
請求項３に記載の発明は、請求項２に記載の排水トラップにおいて、前記第１開口部を構成する前記溜水部の底部は、前記取水口側に位置する入口部から前記第２開口部側に位置する出口部に向かって下り傾斜していることを特徴とする。
【００１８】
請求項３に記載の発明によれば、第１開口部を構成する溜水部の底部は、取水口側に位置する入口部から第２開口部側に位置する出口部に向かって下り傾斜しているため、第１の流路の開口面積を絞ることができる。これにより、浴槽側から水が排水されていないときに、第１の流路の途中において水溜め部を形成することができ、第１の流路に封水機能を持たせることができる。この結果、下水の悪臭が排水管を経て、第１の流路から浴室（浴槽）内に漂うことがない。また、昆虫や小動物が排水管から第１の流路を経て浴槽内へ侵入することを防止できる。
なお、本明細書において、「第１開口部を構成する溜水部の底部」とは、溜水部の底部のうち第１開口部を構成するために凹んでいる部分を意味する。
【００１９】
請求項４に記載の発明は、請求項１乃至３のいずれか１項に記載の排水トラップにおいて、前記溜水部と前記排水トラップ本体との間には、前記第１の空間部から前記第２の空間部への水の浸入及び前記第２の空間部から前記第１の空間部への水の浸入を防止するシール部材が配置されていることを特徴とする。
【００２０】
請求項４に記載の発明によれば、浴槽側の排水経路となる第１の空間部と洗い場側の排水経路となる第２の空間部とをシール部材により気密にすることで、第１の空間部の深さを稼ぐことができ、浴槽側排水経路に有効な封水深さを実現させることができる。
【００２１】
請求項５に記載の発明は、上方に開口した開口部を有する溜水部が内部に形成された排水トラップ本体と、前記溜水部の前記開口部に挿入され洗い場から排水された水を前記溜水部に注ぐ封水筒と、前記排水トラップ本体に形成され前記溜水部の前記開口部から前記溜水部の外部に溢れた水を前記排水トラップ本体の外部に排水させる排水管が接続する排水口と、前記排水トラップ本体に形成され浴槽内から排水された水を前記排水トラップ本体に導く取水管が接続する取水口と、を有する排水トラップにおいて、前記溜水部の外側面の一部に沿って形成され、前記取水口から前記排水トラップ本体の内部に流入した水を前記排水口まで導く第１の流路と、前記溜水部の外側面の一部に沿って形成され、前記溜水部の前記開口部から前記溜水部の外部に溢れ出した水を前記排水口まで導く第２の流路と、前記封水筒の外側面に形成され、前記封水筒が前記溜水部の前記開口部に挿入されたときに前記開口部の一部を塞ぎ前記溜水部の内部の水が前記開口部から前記第１の流路に溢れ出すことを防止する蓋部と、を有していることを特徴とする。
【００２２】
請求項５に記載の発明によれば、浴槽内から排水された水は取水管を流れて取水口から排水トラップ本体の内部に流入する。排水トラップ本体に流入した水は、第１の流路を流れて排水口まで導かれる。排水口まで導かれた水は排水管を通って排水トラップ本体の外部に排水される。
ここで、浴槽から排水された水がいかに多量であっても蓋部により溜水部の開口部の一部が塞がれているため溜水部の内部にこの水が浸入することを防止でき、この水が封水筒を逆流して洗い場側から溢れ出すことを防止することができる。
一方、洗い場から排水された水は封水筒の内部に流入し溜水部に注がれる。水が溜水部に注がれていくと、やがて溜水部の開口部から水が溢れ出す。このとき、蓋部により溜水部の開口部の一部が塞がれているため、溜水部から溢れ出した水は第１の流路には流入せず、第２の流路に流入する。第２の流路に流入した水は、第２の流路を流れて排水口まで導かれる。なお、排水口まで導かれた水は排水管を流れて排水トラップ本体の外部に排水される。
以上に説明したように、本発明の排水トラップによれば、浴槽内から排水された水の流路（第１の流路）と洗い場側から排水された水の流路（第２の流路）とがそれぞれ別れており、それぞれ独自の排水系統を備えているため、排水による圧力干衝が生じることがなく、低床化の要請により取水管を取り付けヘッド高を低くした場合であっても、洗い場側から排水された水が取水管を逆流して浴槽の内部に溢れ出すことを防止することができ、また逆に浴槽内から排水された水が溜水部の内部に浸入し封水筒から洗い場側に溢れ出すことを防止できる。
また、浴槽内の水は独自の排水系統（第１の流路）により外部に排水されるため、浴槽内の水の排水時間を短縮することができる。
このように、本発明の排水トラップによれば、ヘッド高が低く設定された場合でも、浴槽内の水の排水効率を上げることができるとともに相互の圧力干衝を防止することができる。
ここで、溜水部の開口部の一部は蓋部で塞がれているが、この蓋部は封水筒に形成されているため、封水筒を溜水部から引き抜くことにより、溜水部の開口部をすべて開放することができる。これにより、溜水部の内部に毛髪やゴミが詰まった場合にも、容易に溜水部を掃除することができる。また、封水筒を引き抜くことにより蓋部の掃除も容易に行うことができる。
【００２３】
請求項６に記載の発明は、請求項５に記載の排水トラップにおいて、前記蓋部は前記取水口から前記排水トラップ本体の内部に流入した水を前記排水口に導く流路を兼ねており、前記蓋部には前記蓋部上を流れる水が前記第２の流路又は前記溜水部の内部に浸入することを防止する壁部が形成されていることを特徴とする。
【００２４】
請求項６に記載の発明によれば、浴槽内から排水された大量の水が排水トラップ本体の内部に流入した場合には、第１の流路だけでは足りず、蓋部の上を水が流れる。このとき、蓋部には壁部が形成されているため、蓋部の上を流れる水が第２の流路に浸入することを防止できる。また壁部が形成されているため、溜水部の開口部の蓋部で塞がれていない部分から溜水部の内部に水が浸入することも防止できる。
なお、蓋部は溜水部の開口部の一部を塞いでいるため、蓋部の上から溜水部の内部に水が浸入することはない。
【００２５】
請求項７に記載の発明は、請求項５又は６に記載の排水トラップにおいて、前記第２の流路の前記排水口側と反対側に位置する端部が閉塞されていることを特徴とする。
【００２６】
請求項７に記載の発明によれば、第２の流路の排水口側と反対側に位置する端部が閉塞されているため、溜水部から第２の流路に溢れ出た水が逆流して第１の流路に浸入することはない。この結果、圧力干衝を効果的に防止でき、特に洗い場から排水された水が第１の流路に浸入し、取水管を逆流して浴槽内部に溢れ出すことを効果的に防止できる。
【００２７】
請求項８に記載の発明は、請求項５乃至７のいずれか１項に記載の排水トラップにおいて、前記溜水部の前記排水口近傍の部位には、前記第１の流路を流れてきた水が前記第２の流路に浸入すること又は前記第２の流路を流れてきた水が前記第１の流路に浸入することを防止する逆流防止弁が設けられていることを特徴とする。
【００２８】
請求項８に記載の発明によれば、溜水部の排水口近傍の部位には逆流防止弁が設けられているため、第１の流路を流れてきた水が第２の流路に浸入することを防止でき、さらに第２の流路を流れてきた水が第１の流路に浸入することを防止できる。これにより、浴槽内から排水された水が排水トラップ本体から洗い場側に溢れ出すことをより確実に防止でき、洗い場側から排水された水が取水管を逆流して浴槽内部に溢れ出すことをより確実に防止できる。
【００２９】
請求項９に記載の発明は、請求項５乃至８のいずれか１項に記載の排水トラップにおいて、前記第２の流路は、前記排水口に向かって下り傾斜していることを特徴とする。
【００３０】
請求項９に記載の発明によれば、第２の流路が排水口に向かって下り傾斜しているため、溜水部の開口部から第２の流路に溢れた出た水を効率良く、かつ円滑に排水口まで導くことができる。
【００３１】
【発明の実施の形態】
次に、本発明の第１実施形態の排水トラップの構成について、図面を参照して説明する。
【００３２】
図１乃至図３に示すように、本実施形態の排水トラップ１０は、排水トラップ本体１２を備えている。この排水トラップ本体１２は、下側に位置する小径円筒部１４と、この小径円筒部１４の上側に位置し小径円筒部１４の径よりも大きな径の大径円筒部１６と、を有している。この小径円筒部１４は底部１８Ａを備えており、その内部には下側空間部１８が形成されている。一方、大径円筒部１６は、小径円筒部１４の開口周りを縁取るリング状の底部１６Ａを備えており、内部には上側空間部２０が形成されている。この下側空間部１８と上側空間部２０とは連続しており、この２つの空間部１８、２０により排水トラップ本体１２の内部に形成された内部空間部を構成している。また、大径円筒部１４の上方側の端面は開口端となっている。
【００３３】
また、小径円筒部１４の外周面には、下側空間部１８と連通する取水口２２が形成されている。この取水口２２には、浴槽２４の底部に形成された浴槽排水部２６と接続される取水管２８が取り付けられる。
【００３４】
また、大径円筒部１６の外側面であって取水口２２と略１８０度反対側の位置には、上側空間部２０と連通する排水口３０が形成されている。この排水口３０には、排水トラップ本体１２の水を浴室の外部に排水する排水管３２が取り付けられる。また、大径円筒部１６の外周面に沿ってフランジ３４が形成されている。
【００３５】
また、排水トラップ本体１２の内部空間部には、溜水部３６が着脱可能に取り付けられている。図３（Ａ）、（Ｂ）に示すように、この溜水部３６は外観視で円筒状に形成されており、上方側の端部が開口部となっている。
ここで、溜水部３６の底部３６Ａから側面にかけて凹部（第１開口部）３８が形成されている。この凹部３８の断面は、溜水部３６の側面において比較的大きな半円状に形成されており、溜水部３６の側面から径方向内側に向かって先細りとなるように形成されている。
また、凹部３８を構成する溜水部３６の曲面形状の底面３８Ａ（溜水部３６の底面３６のうち凹部３８の形成により凹んだ部分を意味する。以下、同じ。）は、溜水部３６の側面に位置する入口部から連通孔４０（後述）側に位置する出口部に向かって下り傾斜するように形成されている。すなわち、溜水部３６の側面近傍（凹部３８の入口部）では凹部３８を構成する溜水部３６の底面３８Ａと排水トラップ本体１２の底面１８Ａとの離間距離は比較的大きく、側面から径方向内側に向けてその離間距離が徐々に小さくなっており、連通孔４０側に位置する出口部では最も小さくなっている。
【００３６】
また、凹部３６が形成された溜水部３６の側面と略１８０度反対側の側面から底部３６Ａに亘って連通孔（第２開口部）４０が形成されている。この連通孔４０は、溜水部３６の底部３６Ａ（溜水部３６の底部のうち凹部３８を構成するために凹んでいない部分を意味する。以下同じ。）に開口した入口開口部４０Ａと、溜水部３６の側面に開口した出口開口部４０Ｂと、この入口開口部４０Ａと出口開口部４０Ｂとを連通する連通部４０Ｃと、で構成されている。
なお、溜水部３６の内部には水を貯溜する内部空間部４２が形成されているが、この内部空間４２に凹部３８と連通孔４０は連通していない。
【００３７】
ここで、溜水部３６が排水トラップ本体１２の内部空間部に配置されると、この溜水部３６により内部空間部が２つの空間部に分断される。すなわち、溜水部３６の底部３６Ａと排水トラップ本体１２の底部１８Ａとの間には第１の空間部４４が形成される。溜水部３６の底部３６Ａに形成された凹部３８はこの第１の空間部４４に開放しており、また、連通孔４０の入口開口部４０Ａが第１の空間部４４に開放している。これにより、凹部３８と連通孔４０とは、第１の空間部４４と共に第１の流路を構成している。したがって、取水口２２から排水トラップ本体１２に流入した水は、この第１の流路を流れて排水口３０に導かれる。
なお、溜水部３６は、溜水部３６の側面に形成された凹部３６が取水口２２と対向し、かつ連通孔４０を構成する出口開口部４０Ｂが排水口３０に対向するように、排水トラップ本体１２に取り付けられる。
【００３８】
ここで、排水トラップ本体１２の下側空間部１８には、２本のＯリング４６、４６がそれぞれ配置されており、溜水部３６が排水トラップ本体１２に取り付けられると、これらのＯリング４６、４６が溜水部３６の外周面と小径円筒部１４の内周面との間に位置するようになっている。これにより、浴槽側の排水経路となる第１の空間部４４と洗い場側の排水経路となる後述の第２の空間部４８とをシール部材により気密にすることで、第１の空間部４４の深さを稼ぐことができ、浴槽側排水経路に有効な封水深さを実現させることができる。
【００３９】
なお、溜水部３６が排水トラップ本体１２の内部空間部に配置されると、溜水部３６の外周面の一部は小径円筒部１４の内周面と水密に接触しており、溜水部３６を上方に引くことにより、排水トラップ本体１２から溜水部３６を取り外すことができるようになっている。
【００４０】
また、溜水部３６が排水トラップ本体１２の内部空間部に配置されると、上側空間部２０に第２の空間部４８が形成される。すなわち、この第２の空間部４８は、上側空間部２０のうち溜水部３６の外側に位置する空間部であり、溜水部３６の外周面と大径円筒部１６の内周面とリング状の底部１６Ａとにより第２の流路が形成される。溜水部３６の開口部４２から溢れ出した水がこの第２の流路を流れて排水口３０に導かれるようになっている。
【００４１】
以上のように、本実施形態の排水トラップ１０では、排水トラップ本体１２の内部空間部に溜水部３６が取り付けられることにより、その内部空間部が第１の空間部４４と第２の空間部４８に分断される。そして、第１の空間部４４と第２の空間部４８のそれぞれに別々の流路が形成される。
【００４２】
図１に示すように、溜水部３６の内部には封水筒５０が挿入される。この封水筒５０は略円筒状に形成されており、一方の開口端にはフランジ５２が形成されている。洗い場側から排水された水が封水筒５０の内部に流入し、溜水部３６の内部に注がれる。
【００４３】
なお、排水トラップ１０は、洗い場側の防水パン５４に形成された洗い場排水孔に大径円筒部１６の開口部を合わせ、上方からのリング状の取付部材５６と下方からの排水トラップ本体１２のフランジ３４とによりシール部材５８を介して防水パン５４を挟み込むようにして取り付けられる。この取付部材５６の内周面には封水筒５０に形成されたフランジ５２が螺合している。
【００４４】
次に、本実施形態の排水トラップ１０の作用について詳細に説明する。
【００４５】
図１乃至図３に示すように、浴槽内から排水された水は、浴槽２４の底部に形成された浴槽排水部２６を経て取水管２８を流れ取水口２２から排水トラップ本体１２の内部空間部に流入する。内部空間部に流入した水は、第１の空間部４４と凹部３８とで囲まれた第１の流路をそのまま流れていく。このとき、凹部３８を構成する溜水部３６の底面３８Ａが下り傾斜しているため、水はその下り傾斜した底面３８Ａに沿って連通孔４０の方向に流れていく。凹部３８を流れた水は、溜水部３６の底面３６Ａと排水トラップ本体１２の底面１８Ａとの間に形成された第１の空間部４４に抜け、その後、入口開口部４０Ａから連通孔４０に流入し連通部４０Ｃを流れて出口開口部４０Ｂまで流れていく。出口開口部４０Ｂまで流れてきた水は、出口開口部４０Ｂを抜けて第２の空間部５２の一部分を経て排水口３０に到達する。その後、排水管３２を通って浴室外部の下水に排水される。
なお、出口開口部４０Ｂを抜けた水は、一旦、第２の空間部４８に流入するが、この流入した部分は排水口３０の近傍であり、第２の空間部４８に流入した水はそのまま排水管３２を経て外部に排水されるため、圧力干衝を極力小さくすることができる。
【００４６】
一方、洗い場から排水された水は、洗い場排水孔から封水筒５０の内部に流入し溜水部３６に注がれる。溜水部３６に注がれた水は溜水部３６と封水筒５０との間にも流入し、注水量に比例して溜水部３６と封水筒５０との間を上昇していき、やがて溜水部３６から溢れ出す。溜水部３６から溢れ出した水は、第２の空間部４８に形成された第２の流路に流入し第２の流路上を流れて排水口３０に導かれる。排水口３０に導かれた水は、排水管３２を流れて外部の下水に排水される。
【００４７】
以上、本発明の排水トラップ１０によれば、浴槽内から排水された水の流路（第１の流路）と洗い場側から排水された水の流路（第２の流路）とがそれぞれ別れており、それぞれ独自の排水系統を備えているため、排水による圧力干衝が生じることがなく、低床化の要請により取水管２８を取り付けヘッド高を低くした場合であっても、浴槽内から排水された水が溜水部３６の内部に浸入し封水筒５０から洗い場側に溢れ出すことを防止でき、また逆に洗い場側から排水された水が取水管２８を逆流して浴槽２４の内部に溢れ出すことを防止することができる。
また、浴槽内の水は独自の排水系統（第１の流路）により外部に排水されるため、浴槽内の水の排水時間を短縮することができる。特に、溜水部３６に凹部３８や連通孔４０を形成することにより、第１の流路の断面積（開口面積）を大きくすることができ、浴槽内の水の排水時間をより短縮することができる。
【００４８】
このように、本発明の排水トラップ１０によれば、ヘッド高が低く設定された場合でも、浴槽内の水の排水効率を上げることができるとともに相互の圧力干衝を防止することができる。特に、第１の流路と第２の流路とを設けるために排水トラップ本体１２の寸法を大きくするのではなく、排水トラップ本体１２の内部空間部に溜水部３６を取り付けることにより内部空間部を２つの空間部４４、５２に分断しているので、排水トラップ１０が大型化することがなく、いわゆる低床化の要請に沿うものとなる。
【００４９】
ここで、溜水部３６は着脱可能に排水トラップ本体１２の内部空間部に挿入されているため、溜水部３６を引き抜くことにより、排水トラップ本体１２の内部空間部を全て開放することができる。これにより、排水トラップ本体１２の内部に毛髪やゴミが詰まった場合にも、容易に掃除することができる。また、溜水部３６を引き抜くことにより溜水部３６自体の掃除も容易に行うことができる。
【００５０】
また、排水トラップ本体１２の内部空間部に溜水部３６を挿入するだけで第１の流路と第２の流路とが形成されるため、排水トラップ本体１２自体に第１の流路や第２の流路を形成する必要がなく、排水トラップ本体１２の内部構造を比較的単純な構造にすることができる。このため、アンダーカットになる部分がなく従来から広く採用されている樹脂成型により製造することができ、排水トラップ１０の生産効率を上げることができる。
【００５１】
さらに、高圧ホースなどの掃除機器を用いて排水トラップ本体１２を掃除する場合には、溜水部３６を排水トラップ本体１２の内部から取り外すことにより、溜水部３６の配置スペースを利用することができるため、高圧ホースを排水トラップ本体１２の内部に進入させることができる。これにより、掃除機器を用いた清掃が可能となり、清掃性を高めることができる。
【００５２】
また、溜水部３６の凹部３８を形成する底部３８Ａが下り傾斜しているため、浴槽内の水が排水されていないときでも第１の空間部４４には所定量の水が溜められるので、第１の空間部４４においても封水機能を持たせることができる。これにより、下水の悪臭が浴室内に漂うことを防止できると共に昆虫や小動物が排水管３２から第１の空間部４４を経て浴槽２４の内部へ侵入することを防止できる。
【００５３】
次に、本発明の第２実施形態の排水トラップの構成について説明する。
【００５４】
図４乃至図６に示すように、本実施形態の排水トラップ１００は、排水トラップ本体１０２を備えている。この排水トラップ本体１０２の内部の略中央には、溜水部１０４が形成されている。この溜水部１０４は、上方に開口した開口部を有した筒状に形成されており、内部に所定量の水が貯溜されるようになっている。
【００５５】
また、排水トラップ本体１０２の外側面の下方側には、取水口１０６が形成されている。この取水口１０６には、浴槽の底部に形成された浴槽排水部１０８に接続した取水管１１０が取り付けられる。この取水口１０６は、中空状に形成されており、後述の第１の流路１１２に連通している。
【００５６】
また、排水トラップ本体１０２の外側面の上方側には、排水口１１４が形成されている。この排水口１１４には、排水トラップ本体１０２の内部の水を排水トラップ本体１０２の外部に排水する排水管１１６が取り付けられる。この排水口１１６は、中空状に形成されており、後述の第１の流路１１２と後述の第２の流路１１８と連通している。
【００５７】
また、排水トラップ本体１０２の内部には、溜水部１０４の断面視にて直線状の外側面に沿って第１の流路１１２が形成されている。この第１の流路１１２は、取水口１０６及び排水口１１４と連通しており、取水口１０６から排水トラップ本体１０２の内部に流入した浴槽からの水が第１の流路１１２を流れて排水口１１４に導かれる。この第１の流路１１２は、取水口１０６側から排水口１１４側に向かって上り傾斜となるように形成されている。したがって、浴槽内から排水された水は、取水管１１０を流れて取水口１０６から第１の流路１１２に流入し、第１の流路１１２を登るように流れて排水口１１４に到達し、排水管１１６を流れて下水に排水される。このように、第１の流路１１２は、いわゆるランニングトラップとなっている。なお、第１の流路１１２は、断面視にて略直線状に形成されている。
【００５８】
一方、排水トラップ本体１０２の内部には、溜水部１０４の断面視にて湾曲状の外側面の一部に沿って第２の流路１１８が形成されている。このように溜水部１０４は、第１の流路１１２と第２の流路１１８とで囲まれるような構成になっている。また、第２の流路１１８は、断面視にて湾曲状に形成されている。さらに、第２の流路１１８の排水口１１４側と反対側の端部（本明細書において、「閉塞端部」と称する。）には区画壁（図４では図示省略）１２０が形成されており、この区画壁１２０により第２の流路１１８が閉塞されている。また、第２の流路１１８の他方の端部（本明細書において、「開放端部」と称する。）は、排水口側に位置している。さらに、第２の流路１１８の閉塞端部から開放端部に向かって下り傾斜となるように形成されている。これらにより、溜水部１０４の開口部から第２の流路１１８に溢れ出した水は、第２の流路１１８を流れて排水口１１４に導かれる。また、洗い場側からの多量の水が排水され、溜水部１０４の開口部から水が勢い良く溢れ出した場合などには、溢れ出した水が第２の流路１１８を逆流することもあり得るが、かかる場合でも第２の流路１１８の区画壁１２０により水の逆流が遮断される。区画壁１２０に衝突した水は、排水口１１４に向かって第２の流路１１８を流れていく。このように、第２の流路１１８上の水が第１の流路１１２に浸入することがない。
【００５９】
なお、排水トラップ本体１０２の上方側の端面は開口孔１２２が形成されている。この開口孔１２２の内周にはネジ溝１２４が形成されており、後述の封水筒１２６のフランジ１２８の外周面に形成されたネジ山１３０と螺合することにより、封水筒１２６が排水トラップ本体１０２に取り付けられる。
【００６０】
また、図４に示すように、溜水部１０４の内部には封水筒１２６が挿入される。この封水筒１２６は、略円筒状に形成されており、排水トラップ本体１０２の開口孔１２２と螺合する。洗い場側から排水された水が封水筒１２６の内部に流入し溜水部１０４の内部に注がれる。
【００６１】
また、封水筒１２６の外周面には、封水筒１２６が溜水部１０４の開口部に挿入され排水トラップ本体１０２に取り付けられたときにその開口部の一部を閉塞する蓋部１３４が形成されている。この蓋部１３４の形状は、開口部の一部を閉塞したときにその閉塞した開口部の輪郭と合致するように設定されている。このように、蓋部１３４は、封水筒１２６が溜水部１０４の開口部に挿入され排水トラップ本体１０２に取り付けられたときに開口縁１３２に載置されて開口部の一部を閉塞する。なお、蓋部１３４の開口縁１３２と接触する下側の接触面にはゴムなどのシール部材（図示省略）を配設し、蓋部１３４がシール部材を介して開口縁１３２に載置されるようにしてもよい。これにより、蓋部１３４と溜水部１０４との接触面の水密性を向上させることができる。
【００６２】
さらに、蓋部１３４には、蓋部１３４に対して略垂直方向に延在する壁部１３６が形成されている。この壁部１３６の先端部は、フランジ１２８の下面と水密に接続されている。また、この壁部１３６は封水筒１２６の外周面にも水密に接続されており、封水筒１２６の両側に壁部１３６が配置された構成となっている。
なお、これらの壁部１３６は、封水筒１２６の中心点Ｍを通る直線ｌ上に位置するように形成されている。ここで、蓋部１３４と壁部１３６とは、封水筒１２６に一体的に形成されていてもよく、それぞれ別々に形成された後に組み付けられてもよい。
【００６３】
このように、封水筒１２６の外周面に形成された蓋部１３４と壁部１３６により、封水筒１２６が排水トラップ本体１０２に取り付けられたときに溜水部１０４の開口部の一部が塞がれるとともに、浴槽からの排水量が多い場合には浴槽から排水された水が蓋部１３４上にも流れ込むため、この蓋部１３４を流路として用いることもできる。また、蓋部１３４を流路として用いた場合、壁部１３６により蓋部１３４上の水が第２の流路１１８に浸入することを阻止することができる。さらに、蓋部１３４上の水が、壁部１３６により溜水部１０４の開口部のうち蓋部１３４により塞がれていない部分から溜水部１０４の内部に浸入することも阻止することができる。
【００６４】
次に、本実施形態の排水トラップ１００の作用について詳細に説明する。
【００６５】
図４乃至図６に示すように、浴槽内から排水された水は、取水管１１０を流れて取水口１０６から排水トラップ本体１０２の内部に流入する。排水トラップ本体１０２に流入した水は、第１の流路１１２を登るように流れて排水口１１４まで導かれる。排水口１１４まで導かれた水は排水管１１６を通って排水トラップ本体１０２の外部に排水される。このように、第１の流路１１２がいわゆるランニングトラップ部を形成しているので、浴槽内の水の排水時間を大幅に短縮することができる。
【００６６】
ここで、浴槽から多量の水が排水された場合には、この水が排水トラップ本体１０２の内部に流入したときに蓋部１３４上にも流れ込むが、この蓋部１３４により溜水部１０４の開口部の一部が閉塞されているので、蓋部１３４上の水が溜水部１０４の内部に流入することがない。また、この蓋部１３４には壁部１３６が形成されているので、蓋部１３４上の水の流れが壁部１３６により遮断されるため、蓋部１３４により閉塞されていない溜水部１０４の開口部から溜水部１０４の内部に水が流入することがない。さらに、壁部１３６が形成されているため、蓋部１３４上の水が第２の流路１１８に流入することがない。これにより、浴槽内から排水された水と洗い場から排水された水との間で圧力干衝が生じることがないため、浴槽内から排水された水が溜水部１０４の内部に流入し封水筒１２６の内部を逆流して洗い場側から溢れ出ることを防止できる。
【００６７】
一方、洗い場から排水された水は、封水筒１２６の内部に流入し溜水部１０４に注がれる。水が溜水部１０４に注がれていくと、やがて溜水部１０４の開口部から水が溢れ出す。このとき、封水筒１２６に形成された蓋部１３４により溜水部の開口部の一部が塞がれているため、溜水部１０４から溢れ出した水は第１の流路１１２には流入せず、第２の流路１１８に流入する。第２の流路１１８に流入した水は、そのまま第２の流路１１８を流れて排水口１１４まで導かれる。このとき、第２の流路１１８が排水口１１４に向かって下り傾斜しているため、第２の流路１１８に流入した水は円滑に排水口１１４まで導かれる。なお、排水口１１４まで導かれた水は、排水管１１６を流れて排水トラップ本体１０２の外部に排水される。
【００６８】
ここで、第２の流路１１８の排水口側と反対側に位置する端部は区画壁１２０により閉塞されているため、溜水部１０４から第２の流路１１８に溢れ出た水が逆流して第１の流路１１２に浸入することはない。この結果、相互の圧力干衝を効果的に防止でき、特に洗い場から排水された水が第１の流路１１２に浸入し、取水管１１０を逆流して浴槽内部に溢れ出すことを効果的に防止できる。
【００６９】
以上に説明したように、本発明の排水トラップ１００によれば、浴槽内から排水された水の流路（第１の流路１１２）と洗い場側から排水された水の流路（第２の流路１１８）とがそれぞれ別れており、それぞれ独自の排水系統を備えているため、排水による圧力干衝が生じることがなく、低床化の要請により取水管１１０を取り付けヘッド高を低くした場合であっても、洗い場側から排水された水が取水管１１０を逆流して浴槽の内部に溢れ出すことを防止することができ、また逆に浴槽内から排水された水が溜水部１０４の内部に浸入し封水筒１２６から洗い場側に溢れ出すことを防止できる。
また、浴槽内の水は独自の排水系統（第１の流路１１２）により外部に排水されるため、浴槽内の水の排水時間を短縮することができる。
【００７０】
ここで、溜水部１０４の開口部の一部は蓋部１３４で塞がれているが、この蓋部１３４は封水筒１２６に形成されているため、封水筒１２６を溜水部１０４から引き抜くことにより、溜水部１０４の開口部をすべて開放することができる。
これにより、溜水部１０４の内部に毛髪やゴミが詰まった場合にも、容易に溜水部１０４を掃除することができる。また、封水筒１２６を引き抜くことにより蓋部１３４の掃除も容易に行うことができる。
【００７１】
なお、溜水部１０４に常に一定量の水が溜められおり、溜水部１０４と封水筒１２６とでいわゆる封水機能を実現しているため、下水の悪臭が浴室内に漂うことを防止できるとともに昆虫や小動物が排水管１１６から排水トラップ１００を経て浴室内へ侵入することを防止できる。
【００７２】
ここで、本発明の第２実施形態の排水トラップの変形例について説明する。
なお、図７において、本発明の第２実施形態に係る排水トラップ１００と同様の構成には同符号を付し、適宜説明を省略する。
【００７３】
図７に示すように、変形例に係る排水トラップ１５０は、溜水部１０４の排水口近傍の部位に逆流防止弁１５２が設けられている。この逆流防止弁１５２は、整流部材１５４と、この整流部材１５４が所定の角度だけ回転するように整流部材１５４を溜水部１０４に取り付ける取付部材１５６と、で構成されている。ここで、取付部材１５６として、例えば、整流部材１５４の端部を貫通し、両端部が溜水部１０４に回転可能に取り付けられる回転軸が好ましい。なお、取付部材は、この回転軸に限られることはなく、整流部材１５４を所定の角度だけ回転させるものであれば他の部材でもよい。また、整流部材１５４の形状は、排水口１１４に内周面に接触したときに第１の流路１１２や第２の流路１１８を塞ぐことができるような形状に設定されている。
【００７４】
この排水トラップ１５０によれば、図７に示すように、整流部材１５４は第２の流路１１８を流れてきた水により押圧される。水により押圧された整流部材１５４は、回転軸とともに所定の回転角度だけ回転し、排水口１１４の内周面の一部と接触する。そして、水の圧力により整流部材１５４がこの状態で位置決めされる。このように、整流部材１５４が排水口１１４の内周面の一部と接触することにより、第１の流路１１２が塞がれる。この結果、第２の流路１１８を流れてきた水は、第１の流路１１２に浸入することがなく、全て排水管１１６により外部に排水される。
【００７５】
逆に、図７に示すように、整流部材１５４は第１の流路１１２を流れてきた水により押圧される。水により押圧された整流部材１５４は、回転軸とともに所定の回転角度だけ回転し、排水口１１４の内周面の一部と接触する（図７の点線参照）。そして、水の圧力により整流部材１５４がこの状態で位置決めされる。このように、整流部材１５４が排水口１１４の内周面の一部と接触することにより、第２の流路１１８が塞がれる。この結果、第１の流路１１２を流れてきた水は、第２の流路１１８に浸入することがなく、全て排水管１１６により外部に排水される。
【００７６】
以上のように、逆流防止弁１５２を設けることにより、より効果的に圧力干衝を防止することができ、浴槽内から排水された水が排水トラップ本体１０２から洗い場側に溢れ出すことをより確実に防止でき、洗い場側から排水された水が取水管１１０を逆流して浴槽内部に溢れ出すことをより確実に防止できる。
【００７７】
【発明の効果】
以上説明した本発明の排水トラップにおいては以下の効果を奏する。
請求項１に記載の発明は、浴槽内から排水された水の流路（第１の流路）と洗い場側から排水された水の流路（第２の流路）とがそれぞれ別れており、それぞれ独自の排水系統を備えているため、排水による圧力干衝が生じることがなく、低床化の要請により取水管を取り付けヘッド高を低くした場合であっても、浴槽内から排水された水が溜水部の内部に浸入し封水筒から洗い場側に溢れ出すことを防止でき、また逆に洗い場側から排水された水が取水管を逆流して浴槽の内部に溢れ出すことを防止することができる。
また、浴槽内の水は独自の排水系統（第１の流路）により外部に排水されるため、浴槽内の水の排水時間を短縮することができる。
このように、本発明の排水トラップによれば、ヘッド高が低く設定された場合でも、浴槽内の水の排水効率を上げることができるとともに相互の圧力干衝を防止することができる。特に、第１の流路と第２の流路とを設けるために排水トラップ本体の寸法を大きくするのではなく、排水トラップ本体の内部空間部に溜水部を取り付けることにより内部空間部を２つの空間部に分断しているので、排水トラップが大型化することがなく、いわゆる低床化の要請に沿うものとなる。
ここで、溜水部は着脱可能に排水トラップ本体に取り付けられているため、溜水部を引き抜くことにより、排水トラップ本体の内部空間部を開放することができる。これにより、排水トラップ本体の内部に毛髪やゴミが詰まった場合にも、容易に掃除することができる。また、溜水部を引き抜くことにより溜水部の掃除も容易に行うことができる。
また、排水トラップ本体の内部に溜水部を取り付けるだけで第１の流路と第２の流路とが形成されるため、排水トラップ本体自体に第１の流路や第２の流路を形成する必要がなく、排水トラップ本体の内部構造を比較的単純な構造にすることができる。このため、アンダーカットになる部分がなく従来から広く採用されている樹脂成型により製造することができ、排水トラップの生産効率を上げることができる。
さらに、高圧ホースなどの掃除機器を用いて排水トラップ本体を掃除する場合には、溜水部を排水トラップ本体の内部から取り外すことにより、溜水部の配置スペースを利用することができるため、高圧ホースを排水トラップ本体の内部に進入させることができる。これにより、掃除機器を用いた清掃が可能となり、清掃性を高めることができる。
【００７８】
請求項２に記載の発明は、第１開口部は取水口に向かって開口しているため、取水口から排水トラップ本体の内部に流入した水が浸入する第１の流路の開口面積を比較的大きくすることができる。これにより、浴槽内の水の排水時間をより短縮させることができる。
一方、第２開口部が排水口に向かって開口しているため、第１の流路を流れてきた水をより効果的に排水管に導くことができるとともに、第２の流路を流れてきた水との圧力干衝を小さくすることができる。
【００７９】
請求項３に記載の発明は、第１開口部を構成する溜水部の底部が取水口側に位置する入口部から第２開口部側に位置する出口部に向かって下り傾斜しているため、第１の流路の開口面積を絞ることができる。これにより、浴槽側から水が排水されていないときに、第１の流路の途中において水溜め部を形成することができ、第１の流路に封水機能を持たせることができる。この結果、下水の悪臭が排水管を経て、第１の流路から浴室（浴槽）内に漂うことがない。また、昆虫や小動物が排水管から第１の流路を経て浴槽内へ侵入することを防止できる。
【００８０】
請求項４に記載の発明は、浴槽側の排水経路となる第１の空間部と洗い場側の排水経路となる第２の空間部とをシール部材により気密にすることで、第１の空間部の深さを稼ぐことができ、浴槽側排水経路に有効な封水深さを実現させることができる。
【００８１】
請求項５に記載の発明は、浴槽内から排水された水の流路（第１の流路）と洗い場側から排水された水の流路（第２の流路）とがそれぞれ別れており、それぞれ独自の排水系統を備えているため、排水による圧力干衝が生じることがなく、低床化の要請により取水管を取り付けヘッド高を低くした場合であっても、洗い場側から排水された水が取水管を逆流して浴槽の内部に溢れ出すことを防止することができ、また逆に浴槽内から排水された水が溜水部の内部に浸入し封水筒から洗い場側に溢れ出すことを防止できる。
また、浴槽内の水は独自の排水系統（第１の流路）により外部に排水されるため、浴槽内の水の排水時間を短縮することができる。
このように、本発明の排水トラップによれば、ヘッド高が低く設定された場合でも、浴槽内の水の排水効率を上げることができるとともに相互の圧力干衝を防止することができる。
ここで、溜水部の開口部の一部は蓋部で塞がれているが、この蓋部は封水筒に形成されているため、封水筒を溜水部から引き抜くことにより、溜水部の開口部をすべて開放することができる。これにより、溜水部の内部に毛髪やゴミが詰まった場合にも、容易に溜水部を掃除することができる。また、封水筒を引き抜くことにより蓋部の掃除も容易に行うことができる。
【００８２】
請求項６に記載の発明は、浴槽内から排水された大量の水が排水トラップ本体の内部に流入した場合には、第１の流路だけでは足りず、蓋部の上を水が流れる。このとき、蓋部には壁部が形成されているため、蓋部の上を流れる水が第２の流路に浸入することを防止できる。また壁部が形成されているため、溜水部の開口部の蓋部で塞がれていない部分から溜水部の内部に水が浸入することも防止できる。
【００８３】
請求項７に記載の発明は、第２の流路の排水口側と反対側に位置する端部が閉塞されているため、溜水部から第２の流路に溢れ出た水が逆流して第１の流路に浸入することはない。この結果、圧力干衝を効果的に防止でき、特に洗い場から排水された水が第１の流路に浸入し、取水管を逆流して浴槽内部に溢れ出すことを効果的に防止できる。
【００８４】
請求項８に記載の発明は、溜水部の排水口近傍の部位には逆流防止弁が設けられているため、第１の流路を流れてきた水が第２の流路に浸入することを防止でき、さらに第２の流路を流れてきた水が第１の流路に浸入することを防止できる。これにより、浴槽内から排水された水が排水トラップ本体から洗い場側に溢れ出すことをより確実に防止でき、洗い場側から排水された水が取水管を逆流して浴槽内部に溢れ出すことをより確実に防止できる。
【００８５】
請求項９に記載の発明は、第２の流路が排水口に向かって下り傾斜しているため、溜水部の開口部から第２の流路に溢れた出た水を効率良く、かつ円滑に排水口まで導くことができる。
【図面の簡単な説明】
【図１】本発明の第１実施形態に係る排水トラップの断面図である。
【図２】本発明の第１実施形態に係る排水トラップを構成する排水トラップ本体の斜視図である。
【図３】本発明の第１実施形態に係る排水トラップを構成する溜水部の斜視図である。
【図４】本発明の第２実施形態に係る排水トラップの斜視図である。
【図５】本発明の第２実施形態に係る排水トラップの断面図である。
【図６】図５のＡ−Ａ’間で切断した場合の断面図である。
【図７】本発明の第２実施形態に係る排水トラップの変形例となる排水トラップの断面図である。
【図８】従来技術となる浴室の排水構造の部分的な断面図である。
【図９】従来から提案されている排水トラップの斜視図である。
【図１０】従来技術となる排水トラップの断面図である。
【符号の説明】
１０    排水トラップ
１２    排水トラップ本体
２２    取水口
２８    取水管
３０    排水口
３２    排水管
３６    溜水部
３８    凹部（開口部、第１開口部）
４０    連通孔（開口部、第２開口部）
４４    第１の空間部
４６    Ｏリング（シール部材）
４８    第２の空間部
５０    封水筒
１００  排水トラップ
１０２  排水トラップ本体
１０４  溜水部
１０６  取水口
１１０  取水管
１１４  排水口
１１６  排水管
１１２  第１の流路
１１８  第２の流路
１２６  封水筒
１３４  蓋部
１３６  壁部
１５０  排水トラップ
１５２  逆流防止弁
【図１】
2005009161.tif 000003
【図２】
2005009161.tif 000004
【図３】
2005009161.tif 000005
【図４】
2005009161.tif 000006
【図５】
2005009161.tif 000007
【図６】
2005009161.tif 000008
【図７】
2005009161.tif 000009
【図８】
2005009161.tif 000010
【図９】
2005009161.tif 000011
【図１０】
2005009161.tif 000012